(57)【要約】【課題】入力画像に適した色変換を行うことができる色域生成装置、色域生成方法、色域生成プログラム、及び色変換装置を提供する。【解決手段】色変換装置１０は、過去画像格納部１２、過去画像解析部１４、過去画像色域生成部１６、過去画像色域格納部１８、出力色域格納部２０、及び色変換部２２を含んで構成されている。過去画像色域生成部１６は、過去画像格納部１２に格納された過去画像を過去画像解析部１４により解析した解析結果に基づいて、過去画像色域を生成して過去画像色域格納部１８に格納する。色変換部２２は、過去画像色域格納部１８に格納された過去画像色域データと出力色域格納部２０に格納された出力色域データとに基づいて、入力画像データを出力色域内の画像データに変換して出力する。【選択図】図１
2008177686.tif 000002
【特許請求の範囲】
【請求項１】
過去の入力画像を記憶する第１の記憶手段と、
前記過去の入力画像に基づいて、当該過去の入力画像の色域に関する過去画像色域データを生成する過去画像色域生成手段と、
前記過去画像色域データを記憶する第２の記憶手段と、
を備えた色域生成装置。
【請求項２】
前記過去画像色域生成手段は、前記過去の入力画像の色分布に関する色分布データを算出する色分布データ算出手段と、算出した色分布データに基づいて、前記過去画像色域データを生成する生成手段と、を含むことを特徴とする請求項１記載の色域生成装置。
【請求項３】
前記色分布データ算出手段は、前記過去の入力画像の入力順序に応じて定めた重み係数を前記色分布データに乗じることを特徴とする請求項２記載の色域生成装置。
【請求項４】
前記色分布データ算出手段は、前記過去の入力画像の色分布に関するヒストグラムを算出するヒストグラム算出手段であることを特徴とする請求項２又は請求項３記載の色域生成装置。
【請求項５】
前記過去画像色域生成手段は、入力画像及び前記過去の入力画像に基づいて前記過去画像色域データを更新することを特徴とする請求項１乃至請求項４の何れか１項に記載の色域生成装置。
【請求項６】
前記第２の記憶手段は、前記画像の種類毎に前記過去画像色域データを記憶することを特徴とする請求項１乃至請求項５の何れか１項に記載の色域生成装置。
【請求項７】
入力画像の種類を解析する解析手段と、
前記第２の記憶手段に記憶された過去画像色域データの中から、前記解析手段によって解析した入力画像の種類に応じた過去画像色域データを選択する選択手段と、
をさらに備えたことを特徴とする請求項６記載の色域生成装置。
【請求項８】
前記画像の種類は、文字、写真、及びグラフィックの少なくとも一つを含むことを特徴とする請求項６又は請求項７記載の色域生成装置。
【請求項９】
入力画像が前記過去の入力画像の色域内であるか否かを前記過去画像色域データに基づいて判定する判定手段と、
前記判定手段による判定結果に基づいて、色変換に使用すべき色域を決定する決定手段と、
をさらに備えたことを特徴とする請求項１乃至請求項８の何れか１項に記載の色域生成装置。
【請求項１０】
前記判定手段により前記入力画像が前記過去の入力画像の色域内であると判定された場合、前記決定手段は、前記色変換に使用すべき色域を前記過去の入力画像の色域に決定することを特徴とする請求項９記載の色域生成装置。
【請求項１１】
前記入力画像に基づいて当該入力画像の色域に関する入力画像色域を生成する入力画像色域生成手段をさらに備え、
前記判定手段により前記入力画像が前記過去の入力画像の色域外であると判定された場合に、前記決定手段は、前記色変換に使用すべき色域を前記入力画像色域生成手段により生成された前記入力画像色域に決定することを特徴とする請求項９又は請求項１０記載の色域生成装置。
【請求項１２】
過去の入力画像を第１の記憶手段に記憶し、
前記過去の入力画像に基づいて、当該過去の入力画像の色域に関する過去画像色域データを生成し、
前記過去画像色域データを第２の記憶手段に記憶する
色域生成方法
【請求項１３】
過去の入力画像を第１の記憶手段に記憶するステップと、
前記過去の入力画像に基づいて、当該過去の入力画像の色域に関する過去画像色域データを生成するステップと、
前記過去画像色域データを第２の記憶手段に記憶するステップと、
を含む処理をコンピュータに実行させるための色域生成プログラム。
【請求項１４】
出力装置の色域に関する出力色域データを記憶する記憶手段と、
前記請求項１乃至請求項１１の何れか１項に記載の色域生成装置により生成された過去画像色域データと前記出力色域データとに基づいて、入力画像を前記出力装置の色域内の画像に変換する変換手段と、
を備えた色変換装置。
【発明の詳細な説明】
【技術分野】
【０００１】
本発明は、色域生成装置、色域生成方法、色域生成プログラム、及び色変換装置に係り、より詳しくは、入力側デバイスと出力側デバイスのカラー画像信号の色再現可能領域が異なる場合にカラー画像信号に対して色変換処理を行う際に用いる色域データを作成する色域生成装置、色域生成方法、色域生成プログラム、及び色変換装置に関する。
【背景技術】
【０００２】
カラー画像を出力する機器として、例えばＣＲＴやカラーＬＣＤなどのモニタや、プリンタなどの印刷機器等がある。これらの出力装置では、それぞれの出力方式の違いなどによって、再現可能な色範囲、すなわち色域が異なっている。このため、例えばＣＲＴ上で作成した画像をプリンタで印刷する場合など、異なる出力装置で同じ画像データによる出力を行おうとすると、再現できない色が生じる可能性がある。このような場合、少なくとも再現できない色については最も近いと考えられる色に置き換えて出力し、画像全体としてその出力装置においては最良の画質で再現できるようにしている。このとき、与えられるカラー画像信号を、出力装置の色域内の色に置き換える色変換（カラーマッピング）が必要となる。
【０００３】
従来から様々な色変換を行う発明が提案されてきたが、そのほとんどの発明が、モニタの色域とプリンタの色域との間でのマッピングに関するものであり、色変換装置に入力される画像によっては必要としない色域までをもカバーするように色変換するものであった。これにより、例えばモニタに表示された色域の狭い画像をプリンタで再現する場合でも不必要に圧縮されてしまい、入力される画像に適した色変換とはなっていなかった。
【０００４】
この問題を解決するため、画像に適したマッピングを行う方法が従来から提案されており、入力画像のデータを解析して、その使用される色域に適したマッピングをする方法である（例えば特許文献１〜３参照）。
【特許文献１】特開平６−１６２１８１号公報
【特許文献２】特開平８−２７４９９７号公報
【特許文献３】特開２０００−８３１７７号公報
【発明の開示】
【発明が解決しようとする課題】
【０００５】
しかしながら、上記従来技術では、画像が入力されてから使用される色域を解析した後にマッピングを行う為に、処理時間がその分多くかかってしまう、という問題点があった。
【０００６】
本発明は上記事実を考慮して成されたものであり、入力画像に適した色変換を行うことができる色域生成装置、色域生成方法、色域生成プログラム、及び色変換装置を提供することを目的とする。
【課題を解決するための手段】
【０００７】
上記目的を達成するために、請求項１記載の発明の色域生成装置は、過去の入力画像を記憶する第１の記憶手段と、前記過去の入力画像に基づいて、当該過去の入力画像の色域に関する過去画像色域データを生成する過去画像色域生成手段と、前記過去画像色域データを記憶する第２の記憶手段と、を備えたことを特徴とする。
【０００８】
この発明によれば、第１の記憶手段に記憶された過去の入力画像に基づいて、当該過去の入力画像の色域に関する過去画像色域データを生成し、これを第２の記憶手段に記憶するので、入力画像に適した色変換を行うことができると共に、色変換の処理時間を削減することが可能になる。
【０００９】
なお、請求項２に記載したように、前記過去画像色域生成手段は、前記過去の入力画像の色分布に関する色分布データを算出する色分布データ算出手段と、算出した色分布データに基づいて、前記過去画像色域データを生成する生成手段と、を含む構成としてもよい。
【００１０】
また、請求項３に記載したように、前記色分布データ算出手段は、前記過去の入力画像の入力順序に応じて定めた重み係数を前記色分布データに乗じるようにしてもよい。
【００１１】
また、請求項４に記載したように、前記色分布データ算出手段は、前記過去の入力画像の色分布に関するヒストグラムを算出するヒストグラム算出手段である構成としてもよい。
【００１２】
また、請求項５に記載したように、前記過去画像色域生成手段は、入力画像及び前記過去の入力画像に基づいて前記過去画像色域データを更新するようにしてもよい。
【００１３】
また、請求項６に記載したように、前記第２の記憶手段は、前記画像の種類毎に前記過去画像色域データを記憶するようにしてもよい。
【００１４】
また、請求項７に記載したように、入力画像の種類を解析する解析手段と、前記第２の記憶手段に記憶された過去画像色域データの中から、前記解析手段によって解析した入力画像の種類に応じた過去画像色域データを選択する選択手段と、をさらに備えた構成としてもよい。
【００１５】
また、請求項８に記載したように、前記画像の種類は、文字、写真、及びグラフィックの少なくとも一つを含むようにしてもよい。
【００１６】
また、請求項９に記載したように、入力画像が前記過去の入力画像の色域内であるか否かを前記過去画像色域データに基づいて判定する判定手段と、前記判定手段による判定結果に基づいて、色変換に使用すべき色域を決定する決定手段と、をさらに備え構成としてもよい。
【００１７】
また、請求項１０に記載したように、前記判定手段により前記入力画像が前記過去の入力画像の色域内であると判定された場合、前記決定手段は、前記色変換に使用すべき色域を前記過去の入力画像の色域に決定するようにしてもよい。
【００１８】
また、請求項１１に記載したように、前記入力画像に基づいて当該入力画像の色域に関する入力画像色域を生成する入力画像色域生成手段をさらに備え、前記判定手段により前記入力画像が前記過去の入力画像の色域外であると判定された場合に、前記決定手段は、前記色変換に使用すべき色域を前記入力画像色域生成手段により生成された前記入力画像色域に決定するようにしてもよい。
【００１９】
請求項１２記載の発明の色域生成方法は、過去の入力画像を第１の記憶手段に記憶し、前記過去の入力画像に基づいて、当該過去の入力画像の色域に関する過去画像色域データを生成し、前記過去画像色域データを第２の記憶手段に記憶することを特徴とする。
【００２０】
この発明によれば、第１の記憶手段に記憶された過去の入力画像に基づいて、当該過去の入力画像の色域に関する過去画像色域データを生成し、これを第２の記憶手段に記憶するので、入力画像に適した色変換を行うことができると共に、色変換の処理時間を削減することが可能になる。
【００２１】
請求項１３記載の発明の色域生成プログラムは、過去の入力画像を第１の記憶手段に記憶するステップと、前記過去の入力画像に基づいて、当該過去の入力画像の色域に関する過去画像色域データを生成するステップと、前記過去画像色域データを第２の記憶手段に記憶するステップと、を含む処理をコンピュータに実行させることを特徴とする。
【００２２】
この発明によれば、第１の記憶手段に記憶された過去の入力画像に基づいて、当該過去の入力画像の色域に関する過去画像色域データを生成し、これを第２の記憶手段に記憶するので、入力画像に適した色変換を行うことができると共に、色変換の処理時間を削減することが可能になる。
【００２３】
請求項１４記載の発明の色変換装置は、出力装置の色域に関する出力色域データを記憶する記憶手段と、前記請求項１乃至請求項１１の何れか１項に記載の色域生成装置により生成された過去画像色域データと前記出力色域データとに基づいて、入力画像を前記出力装置の色域内の画像に変換する変換手段と、を備えたことを特徴とする。
【００２４】
この発明によれば、前記請求項１乃至請求項１１の何れか１項に記載の色域生成装置により生成された過去画像色域データと前記出力色域データとに基づいて、入力画像を出力装置の色域内の画像に変換するので、入力画像に適した色変換を行うことができると共に、色変換の処理時間を削減することが可能になる。
【発明の効果】
【００２５】
以上説明したように、本発明によれば、入力画像に適した色変換を行うことができる、という効果を有する。
【発明を実施するための最良の形態】
【００２６】
（第１実施形態）
以下、図面を参照して本発明の第１実施形態について説明する。
【００２７】
図１には、本発明に係る色変換装置１０の概略ブロック図を示した。なお、ここで説明する色変換装置は、例えばディジタル複写機やプリンタ等といった画像出力装置に搭載され、若しくはその画像出力装置に接続するサーバ装置に搭載され、またはその画像出力装置に動作指示を与えるコンピュータ（ドライバ装置）に搭載されて用いられるものである。
【００２８】
色変換装置１０は、所定の色空間における入力画像信号（入力画像データ）に対して色変換処理を施し、出力画像信号（出力画像データ）として出力する。なお、本実施形態においては、所定の色空間としてデバイスに依存しない色空間であるＣＩＥ−Ｌ＊ａ＊ｂ＊色空間（以下、単にＬａｂ色空間という）を採用した場合について説明するが、これに限られるものではない。
【００２９】
色変換装置１０には、例えばＣＲＴ等のモニタに表示されたＲＧＢ色空間におけるカラー画像データをＬａｂ色空間の画像データに変換した画像データが入力画像データとして入力される。そして、色変換装置１０は、入力画像データをプリンタ等の出力装置のＬａｂ色空間における色域内の画像データに変換して出力する。
【００３０】
図１に示すように、色変換装置１０は、過去画像格納部１２、過去画像解析部１４、過去画像色域生成部１６、過去画像色域格納部１８、出力色域格納部２０、及び色変換部２２を含んで構成されている。
【００３１】
次に、本実施形態の作用として、色変換装置１０で実行される処理について図２に示すフローチャートを参照して説明する。なお、図２に示す処理は、入力画像データが色変換装置１０に入力されると実行される。
【００３２】
まず、ステップ１００では、入力された画像データが過去画像格納部１２に格納される。過去画像格納部１２には入力された画像データが蓄積されていくが、格納される画像データの数の上限値を予め定めておき、その上限値を越える場合には、古い画像データから順に消去していくようにしてもよい。
【００３３】
ステップ１０２では、過去画像解析部１４が、過去画像格納部１２に記憶された過去画像データに基づいて、過去画像データの色分布に関する解析を行う。本実施形態では、過去画像の色分布を表わす色分布データとしてヒストグラムデータを算出する。
【００３４】
例えば、図３に示すように、Ｌａｂ色空間の所定の色相における断面（Ｌ−Ｃ断面）を複数のエリア３０に分割する。そして、過去画像格納部１２に記憶された全ての過去画像データについて各画素データがどのエリア３０に分布するかを各々求め、各過去画像について求めた各エリア３０の画素データの数をエリア３０毎に積算する。同図において、各エリア３０に表示された数は、そのエリア３０内に含まれる画素データの数であり、この数とエリア３０との対応関係がヒストグラムデータとなる。なお、本実施形態では、エリア３０の形状を四角形状としているが、これに限られるものではない。また、図３に示す例では説明の都合上エリア３０の数を８×８の合計６４個としているが、これに限られるものではない。
【００３５】
ステップ１０４では、過去画像色域生成部１６が、ステップ１０２で求めたヒストグラムデータに基づいて、過去画像の色域外郭を表わす過去画像色域データを算出する。具体的には、例えば画素データが含まれるエリア３０と画素データが含まれないエリア３０との境界線を過去画像色域の外郭線３２として求める。過去画像色域データは、少なくとも外郭線３２を表わすデータを含む。
【００３６】
なお、外郭線３２は、例えば図３に示すように最も外側の画素データが含まれるエリア３０を通る線とすることができる。また、外郭線３２を求める際に、画素データの数が所定閾値以下のエリア３０は過去画像色域から除くようにしてもよい。この場合、所定閾値は、例えば画素データの数がこの値以下のエリア３０を過去画像色域に含めるとその色域の外郭線に凹凸が発生し、色変換の精度が低下する虞がある値に設定される。例えば所定閾値を‘１０’とした場合、図４に示すように、所定閾値以下のエリア３０Ａについては、過去画像色域から除かれるので、過去画像色域の形状が大きく歪むのを防ぐことができる。
【００３７】
ステップ１０６では、過去画像色域生成部１６から出力された過去画像色域データが過去画像色域格納部１８に格納される。
【００３８】
ステップ１０８では、色変換部２２が、プリンタ等の出力デバイスの色域を表わす出力色域データが予め格納された出力色域格納部２０から出力色域データを読み出すと共に、過去画像色域格納部１８から過去画像色域データを読み出す。そして、これら色域データに基づいて、入力画像データを出力色域内の画像データに変換し、これを出力画像データとして出力する。
【００３９】
色変換方法としては、種々公知の手法を用いることができ、例えば変換前と変換後の画像信号の色差が最小となるように変換する色差最小法や線形圧縮法、非線形圧縮法等の方法を用いることができる。例えば特開２００５−１８４６０１号公報、特開２００５−１８４６０２号公報、特開２００５−１９１８０８号公報等に記載された方法を用いることができるが、これに限られるものではない。
【００４０】
なお、使用する過去画像色域データは、入力画像データの解析結果が反映された過去画像色域データ、すなわち入力画像データによって更新された過去画像色域データではなく、入力画像データが入力された時点ですでに過去画像色域格納部１８に格納されている過去画像色域データを用いるようにしてもよい。これにより、入力画像データの解析が終了するのを待たずに変換することができ、処理時間を短縮することができる。
【００４１】
また、図３に示す各エリア３０に含まれる画素データの数を過去画像毎に求める際、この数に、過去画像の画像データが過去画像格納部１２に記憶（入力）された順序に応じた重み係数を乗じるようにし、これを各エリア３０について積算してヒストグラムデータを算出するようにしてもよい。この重み係数は、前記順序が早いほど、すなわち記憶された過去画像の画像データが古いほど重み係数の値を小さくする。これにより、より入力画像に適した色域データを生成することができる。
【００４２】
このように、本実施形態では、過去に入力された画像データを解析することにより得られた過去画像色域データを記憶しておき、これと出力色域データとに基づいて入力画像データを色変換するので、不必要に圧縮されてしまうのを防ぐことができ、入力画像に適した色変換を行うことができる。例えば、入力側デバイスの色域、出力側デバイスの色域が図５に示すように入力側色域３４、出力側色域３６のような場合に、従来の方法によって入力側色域３４の最大彩度点３８の明度調整後に色変換を行った場合、例えば明度調整後の入力側色域３４Ａの外郭線上の色は、出力側色域３６の外郭線上の色に変換され、同図中の斜線領域で示される圧縮量が大きくなる。
【００４３】
これに対し、入力側色域３４をそのまま用いるのではなく、本実施形態のように過去画像に基づいて図６に示すような過去画像色域３４Ｂを生成し、これの最大彩度点４０を明度調整した過去画像色域３４Ｂを用いて色変換することにより、過去画像色域３４Ｂの外郭線上の色は出力側色域３６の外郭線上の色に変換されるが、同図中の斜線領域で示される圧縮量は、図５の場合と比較して小さくなる。これにより、不必要に圧縮されてしまうのを防ぐことができ、入力画像に適した色変換を行うことができる。
【００４４】
また、本実施形態では、入力画像データが入力される毎に色域データを生成する必要もないので、処理時間を短縮することができる。
【００４５】
（第２実施形態）
次に、本発明の第２実施形態について説明する。なお、第１実施形態と同一部分には同一符号を付し、その詳細な説明は省略する。
【００４６】
図７には、本実施形態に係る色変換装置５０の概略ブロック図を示した。色変換装置５０が図１に示した色変換装置１０と異なる点は、シーン解析部５２及び色域選択部５４を備えた点だけである。従って、その他の構成については説明を省略する。
【００４７】
シーン解析部５２では、入力画像データの種類、例えば文字、写真、及びグラフィック等の予め定めた複数の種類の中からどの種類の画像であるのかを解析し、解析結果を過去画像格納部１２及び色域選択部５４に出力すると共に、入力画像データを過去画像格納部１２に出力する。
【００４８】
過去画像格納部１２、過去画像解析部１４、過去画像色域生成部１６、過去画像色域格納部１８は、シーン解析部５２で解析した画像の種類毎に第１実施形態で説明したのと同様の処理を行う。これにより、過去画像色域格納部１８には、画像の種類毎に過去画像色域データが格納される。
【００４９】
色域選択部５４では、入力された入力画像データの種類に対応した過去画像色域データを過去画像色域格納部１８から読み出して、色変換部２２へ出力する。
【００５０】
次に、本実施形態の作用として、色変換装置５０で実行される処理について図８に示すフローチャートを参照して説明する。なお、図８に示す処理は、入力画像データが色変換装置１０に入力されると実行される。
【００５１】
まず、ステップ２００では、シーン解析部５２によって、画像の種類が解析される。解析方法としては種々公知の手法を用いることができるが、例えば入力画像データについて第１実施形態で説明したようなヒストグラムの算出を行い、このヒストグラムに基づいて解析するようにしてもよい。この場合、画像の種類別にヒストグラムのパターンを予めメモリに記憶しておき、これらのパターンと入力画像データのヒストグラムとを各々比較し、略一致するものをその種類の画像であると判断することができる。
【００５２】
ステップ２０２〜２０８は、図２のステップ１００〜１０６の処理とほぼ同様であり、画像の種類毎に処理をする点だけが異なるので、詳細な説明は省略する。
【００５３】
ステップ２１０では、色域選択部５４が、画像の種類毎に過去画像色域データが格納された過去画像色域格納部１８から、入力画像データの種類に対応した過去画像色域データを過去画像色域格納部１８から読み出して色変換部２２へ出力する。
【００５４】
ステップ２１２は、色変換部２２により入力画像データが出力色域内の画像データに変換され、出力画像データとして出力されるが、図２のステップ１０８と同様の処理なので説明を省略する・
このように、本実施形態では、入力画像データの種類を解析し、その種類に応じた過去画像色域データを用いて色変換を行うので、より入力画像データに適した色変換を行うことができる。
【００５５】
（第３実施形態）
次に、本発明の第３実施形態について説明する。なお、第１実施形態と同一部分には同一符号を付し、その詳細な説明は省略する。
【００５６】
図９には、本実施形態に係る色変換装置６０の概略ブロック図を示した。色変換装置６０が図１に示した色変換装置１０と異なる点は、色域チェック部６２及び入力画像色域生成部６４を備えた点だけである。従って、その他の構成については説明を省略する。
【００５７】
色域チェック部６２では、入力画像データが過去画像色域格納部１８に格納された過去画像色域データに基づく過去画像色域内か否か等を判断してその判断結果を色変換部２２に出力すると共に、その判断結果に基づいて、入力画像データの入力画像色域を生成するか否かを決定する。
【００５８】
入力画像色域生成部６４では、色域チェック部６２で入力画像データの色域を生成すべきと判断された場合に、入力画像データに関する新たな色域を生成して色変換部２２へ出力する。
【００５９】
次に、本実施形態の作用として、色変換装置６０で実行される処理について図１０に示すフローチャートを参照して説明する。なお、図１０に示す処理は、入力画像データが色変換装置１０に入力されると実行される。
【００６０】
ステップ３００は、図２のステップ１００と同様の処理であるので説明は省略する。ステップ３０２では、色域チェック部６２により、入力画像データの色域を生成する必要があるか否かを判断する。例えば入力画像データの色域が過去画像色域格納部１８に格納された過去画像色域データに基づく過去画像色域の内側に包含されるか否かを判断する。具体的には、例えば入力画像データのヒストグラムを算出し、これに基づいて入力画像データの色域の外郭を求め、これが過去画像色域内か否かを判断するようにしてもよい。
【００６１】
そして、入力画像データの色域が過去画像色域内の場合には、入力画像データに関する入力画像色域を生成する必要はないと判断し、ステップ３０４へ移行する。一方、入力画像データの色域の少なくとも一部が過去画像色域の外側にある場合には、入力画像データに関する新たな入力画像色域を生成する必要があると判断し、ステップ３１０へ移行する。
【００６２】
ステップ３０４〜３０８は、図２のステップ１０２〜１０６と同様であるので説明は省略する。
【００６３】
ステップ３１０では、入力画像色域生成部６４により、過去画像色域の外側にある領域を包含するような入力画像色域を表わす入力画像色域データを生成する。
【００６４】
ステップ３１２では、色変換部２２により、色域チェック部６２からの判断結果に基づいて、過去画像色域格納部１８に格納された過去画像色域データ又は入力画像色域生成部６４により生成された入力画像色域データと、出力色域格納部２０に格納された出力色域データに基づいて、入力画像データを出力色域内の画像データに変換して出力する。
【００６５】
なお、ステップ３０４〜３０８の処理を省略して過去画像色域データを新たに生成せずに、既に過去画像色域格納部１８に格納されている過去画像色域データを用いて色変換するようにしてもよい。
【００６６】
また、色域チェック部６２で入力画像データの色域が出力色域内であるか否かを判断し、出力色域内である場合には、色変換部２２による色変換を行わないようにしても良い。
【００６７】
また、ステップ３０２において、入力画像データの色域が過去画像色域内の場合であっても、その色域が極端に狭い領域の場合には、入力画像データに応じた入力画像色域データを新たに生成するようにしてもよい。
【００６８】
このように、本実施形態では、入力画像データの色域が過去画像色域内であるか否かを判断し、その判断結果に応じた色域を用いて色変換するので、入力画像に応じて適切な色変換を行うことができる。
【００６９】
なお、上記第１〜第３実施形態の各々について、色変換装置をＣＰＵやＲＯＭ、ＲＡＭ等を含むコンピュータで構成してもよい。この場合、図２、８、１０の色変換処理を実行するプログラムをＲＯＭ等の記憶装置に記憶しておき、このプログラムをＣＰＵで実行させることにより、コンピュータを色変換装置として機能させることができる。
【図面の簡単な説明】
【００７０】
【図１】第１実施形態に係る色変換装置の概略構成を示すブロック図である。
【図２】第１実施形態に係る色変換装置で実行される色変換処理のフローチャートである。
【図３】ヒストグラムについて説明するための図である。
【図４】ヒストグラムについて説明するための図である。
【図５】従来の色変換による圧縮量について説明するための図である。
【図６】本発明の色変換による圧縮量について説明するための図である。
【図７】第２実施形態に係る色変換装置の概略構成を示すブロック図である。
【図８】第２実施形態に係る色変換装置で実行される色変換処理のフローチャートである。
【図９】第３実施形態に係る色変換装置の概略構成を示すブロック図である。
【図１０】第３実施形態に係る色変換装置で実行される色変換処理のフローチャートである。
【符号の説明】
【００７１】
１０      色変換装置
１２      過去画像格納部（第１の記憶手段）
１４      過去画像解析部（ヒストグラム算出手段）
１６      過去画像色域生成部（生成手段）
１８      過去画像色域格納部（第２の記憶手段）
２０      出力色域格納部
２２      色変換部
５０      色変換装置
５２      シーン解析部（解析手段）
５４      色域選択部（選択手段）
６０      色変換装置
６２      色域チェック部（判定手段、決定手段）
６２      入力画像色域生成部
６４      入力画像色域生成部
【図１】
2008177686.tif 000003
【図２】
2008177686.tif 000004
【図３】
2008177686.tif 000005
【図４】
2008177686.tif 000006
【図５】
2008177686.tif 000007
【図６】
2008177686.tif 000008
【図７】
2008177686.tif 000009
【図８】
2008177686.tif 000010
【図９】
2008177686.tif 000011
【図１０】
2008177686.tif 000012